(57)【要約】【課題】線状の医療器具を振動や衝撃から保護するとともに、医療機関における作業量の低下及び医療器具の破損のリスクを低減させた医療器具の包装体を提供する。【解決手段】環状に束ねられた状態で結束され、内部にガイドワイヤ２等の線状の医療器具を収納する中空部を有する長尺管状部材３と、長尺管状部材３を保持する保持面１５を有する保持板４と、を備える。また、保持板４は、保持板４を折曲又は湾曲させる為の脆弱部２０が保持面１５に設けられ、脆弱部２０によって区分される保持面１５の複数の領域の内、一の領域に長尺管状部材３を固定する固定部１６、１７を備え、長尺管状部材３は、固定部１６、１７を備える領域以外に取出口１１が位置する状態で保持板４に保持される。【選択図】図７
2019037660.tif 000002
【特許請求の範囲】
【請求項１】
環状に束ねられた状態で結束され、内部に線状の医療器具を収納する中空部を有する長尺管状部材と、
前記長尺管状部材を保持する保持面を有する保持板と、を備え、
前記保持板は、
前記長尺管状部材の前記保持面への投影面積よりも大きな面積を有し、
前記保持面には、前記保持面を複数の領域に区分する脆弱部が設けられ、
前記脆弱部によって区分される前記保持面の複数の領域の内、一の領域に前記長尺管状部材を固定する固定部を備え、
前記長尺管状部材は、
前記線状の医療器具を取り出す取出口を備え、
前記保持面の複数の領域の内、前記一の領域以外に前記取出口が位置する状態で前記保持板に保持される医療器具の包装体。
【請求項２】
前記長尺管状部材は、
前記中空部に液体を注入する注入口を有し、
前記一の領域以外の領域に、前記注入口が位置する状態で前記保持面に保持される請求項１に記載の医療器具の包装体。
【請求項３】
前記保持板は、透過性を有する又は白色である請求項１又は請求項２に記載の医療器具の包装体。
【請求項４】
前記固定部は、前記保持面を切り出して形成され、
前記長尺管状部材を挟持することによって固定する請求項１乃至請求項３のいずれかに記載の医療器具の包装体。
【請求項５】
前記長尺管状部材は、ガイドワイヤを収納する収納体である請求項１乃至請求項４のいずれかに記載の医療器具の包装体。
【発明の詳細な説明】
【技術分野】
【０００１】
本発明は、線状の医療器具を収納又は運搬する為に包装する包装体に関する。
【背景技術】
【０００２】
ガイドワイヤやカテーテル等の柔軟性且つ精密な構造を有する線状の医療器具について収納や運搬を行う際には、それらの医療器具を破損や雑菌から保護する為に従来より中空形状を有する長尺管状部材が用いられる。具体的には、長尺管状部材の内部にガイドワイヤやカテーテルを挿入し、更に滅菌袋に覆われた状態で長尺管状部材と一体に収納や運搬を行う。そして、使用する直前に滅菌袋及び長尺管状部材からガイドワイヤやカテーテルが取り出され、使用される。
【０００３】
また、ガイドワイヤやカテーテルは数十センチから数ｍの長尺形状を有する為、一般的に長尺管状部材は直線状ではなく環状に束ねられた状態で滅菌袋に覆われる。更に、長尺管状部材の内部にあるガイドワイヤやカテーテルを衝撃や振動から保護する為に、板状の部材に対して管状に束ねられた長尺管状部材を固定する方法が用いられていた。例えば、特開２００６−６７８２号公報には、ガイドワイヤが挿入されたチューブを、環状に束ねられた状態で板状のトレイに対して固定する技術について開示されている。
【先行技術文献】
【特許文献】
【０００４】
【特許文献１】特開２００６−６７８２号公報（段落００１１、図２）
【発明の概要】
【発明が解決しようとする課題】
【０００５】
しかしながら、上記特許文献１に記載された固定方法によりトレイに対して長尺管状部材が固定された状態のままでは、長尺管状部材からガイドワイヤやカテーテルを取り出すことは非常に困難であった。無理に取り出そうとすればガイドワイヤやカテーテルの破損や汚染を招く虞もある。従って、ガイドワイヤやカテーテルを使用する前にトレイから長尺管状部材を外し、その後に長尺管状部材からガイドワイヤやカテーテルを引き抜いて使用する必要があった。その結果、上記医療器具を使用する医療機関では作業量が増加することとなる。また、トレイから長尺管状部材を外す作業において、ガイドワイヤやカテーテルが破損する虞もあった。
【０００６】
本発明は前記従来における問題点を解消するためになされたものであり、線状の医療器具を振動や衝撃から保護するとともに、医療機関における作業量の低下及び医療器具の破損のリスクを低減させた医療器具の包装体を提供することを目的とする。
【課題を解決するための手段】
【０００７】
前記目的を達成するため本発明に係る医療器具の包装体は、環状に束ねられた状態で結束され、内部に線状の医療器具を収納する中空部を有する長尺管状部材と、前記長尺管状部材を保持する保持面を有する保持板と、を備える。また、前記保持板は、前記長尺管状部材の前記保持面への投影面積よりも大きな面積を有し、前記保持面には、前記保持面を複数の領域に区分する脆弱部が設けられ、前記脆弱部によって区分される前記保持面の複数の領域の内、一の領域に前記長尺管状部材を固定する固定部を備え、前記長尺管状部材は、前記線状の医療器具を取り出す取出口を備え、前記保持面の複数の領域の内、前記一の領域以外に前記取出口が位置する状態で前記保持板に保持されることを特徴とする。
上記構成を有する医療器具の包装体によれば、保持板によって線状の医療器具を振動や衝撃から保護することが可能となる一方で、脆弱部で保持板を折曲又は湾曲すれば、長尺管状部材を保持板から取り外すことなく、長尺管状部材の内部にある線状の医療器具を取り出すことが可能となる。その結果、医療機関における作業量の低下を実現できる。また、医療器具の破損のリスクについても低減させることが可能となる。
【０００８】
また、本発明に係る医療器具の包装体は、前記長尺管状部材の一端に、前記中空部に液体を注入する注入口を有し、前記一の領域以外の領域に、前記注入口が位置する状態で前記保持面に保持されることを特徴とする。
上記構成を有する医療器具の包装体によれば、例えばフラッシュなどの作業を行う際に、長尺管状部材を保持板から取り外すことなく作業を行うことが可能となる。その結果、医療機関における作業量の低下を実現できる。また、医療器具の破損のリスクについても低減させることが可能となる。
【０００９】
また、本発明に係る医療器具の包装体は、前記保持板は、透過性を有する又は白色であることを特徴とする。
上記構成を有する医療器具の包装体によれば、包装体内部の異物混入の確認を、長尺管状部材を滅菌袋から取り出すことなく目視にて行うことが可能となる。
【００１０】
また、本発明に係る医療器具の包装体は、前記固定部は、前記保持面を切り出して形成され、前記長尺管状部材を挟持することによって固定することを特徴とする。
上記構成を有する医療器具の包装体によれば、固定の為の部品を別途用いることなく保持板に対して長尺管状部材を固定できるので、長尺管状部材の内部にある医療器具の汚染や破損のリスクを低減させることが可能となる。また、構造を単純化することによってコストダウンについても実現可能となる。
【００１１】
また、本発明に係る医療器具の包装体は、前記長尺管状部材は、ガイドワイヤを収納する収納体であることを特徴とする。
上記構成を有する医療器具の包装体によれば、特にガイドワイヤについて、振動や衝撃からの保護、並びに、医療機関における作業量の低下、破損のリスク低減を実現することが可能となる。
【発明の効果】
【００１２】
前記構成を有する本発明に係る医療器具の包装体によれば、保持板によって線状の医療器具を振動や衝撃から保護することが可能となる一方で、脆弱部で保持板を折曲すれば、長尺管状部材を保持板から取り外すことなく、長尺管状部材の内部にある線状の医療器具を取り出すことが可能となる。その結果、医療機関における作業量の低下を実現できる。また、医療器具の破損のリスクについても低減させることが可能となる。
【図面の簡単な説明】
【００１３】
【図１】本実施形態に係る包装体の外観図である。
【図２】本実施形態に係る止め具の側面図である。
【図３】長尺管状部材の取出口の周辺を拡大した拡大図である。
【図４】長尺管状部材の取出口からガイドワイヤを取り出す態様を示した図である。
【図５】固定部の側面図を示した図である。
【図６】保持板を折曲した状態での包装体の外観図である。
【図７】包装体の変形例を示した図である。
【図８】固定部の変形例を示した図である。
【発明を実施するための形態】
【００１４】
以下、本発明に係る医療器具の包装体について具体化した一実施形態に基づき図面を参照しつつ詳細に説明する。本発明に係る医療器具の包装体は、線状（紐のように細長い形状）の医療器具の包装体であり、特に以下の説明ではガイドワイヤの包装体に適用した例について説明する。但し本発明は必ずしもガイドワイヤの包装体のみに適用されるわけではなく、例えばカテーテル等のその他の線状の医療器具の包装体においても適用可能である。
【００１５】
先ず、本実施形態に係る医療器具の包装体１の概略構成について図１を用いて説明する。図１は本実施形態に係る包装体１の外観図である。
【００１６】
図１に示すように本実施形態に係る包装体１は、内部にガイドワイヤ２を収納する中空部を有する長尺管状部材３と、長尺管状部材を保持する保持板４とを基本的に有する。尚、包装体１は、通常は滅菌袋（図示せず）によって更に全体を覆われており、ガイドワイヤ２の使用直前において滅菌袋から取り出される。尚、図１は滅菌袋から取り出された状態の包装体１を示す。
【００１７】
ここで、長尺管状部材３は樹脂等の柔軟性を有する素材によって成形され、内部にガイドワイヤ２を収納する為の中空部を有する管状形状（チューブ形状）を有する。尚、長尺管状部材３の素材は特に限定されないが、柔軟性があり、且つガイドワイヤ２を長尺管状部材３から引き抜く際にスムーズに引き抜きが行えるように適度な滑り性を有する素材であることが望ましい。例えば、ポリエチレン樹脂、ポリプロピレン樹脂、ポリアミド樹脂等がある。
【００１８】
また、図１に示すように長尺管状部材３は、環状に束ねられた状態で複数の止め具５〜８によって固定され、結束される。本実施形態では図１に示すように略等間隔に４か所を止め具５〜８によって固定されている。図２は止め具５の側面図（特に長尺管状部材３の長さ方向から見た側面図）を示す。
【００１９】
ここで、図２に示すように、止め具５〜８は直方体形状を有しており、一方の側面から他方の側面まで貫通する溝部１０が複数設けられている。尚、図２は特に止め具５を示すが、他の止め具６〜８についても同様の構成を有している。但し、溝部１０の数は適宜変更しても良い。そして、複数の溝部１０に、それぞれ環状に束ねられた長尺管状部材３が嵌め込まれ、全体として長尺管状部材３が環状状態で保持されている。止め具６〜８を形成する材料は、ポリエチレン、ポリ酢酸ビニルのコポリマー、ポリアセタール又はポリカーボネート等の樹脂材料であるが、これに限定されることなく、他の樹脂材料であってもよい。
【００２０】
尚、図１に示す例では長尺管状部材３は、略円形状に束ねられているが、束ねる形状としては楕円形状や多角形形状としても良い。また、長尺管状部材３が描く環状のサイズ（図１に示すように円形である場合には円の半径）は、輸送時の衝撃等でガイドワイヤ２が長尺管状部材３から抜け出てこない程度に小さく、且つガイドワイヤ２の引き抜きがスムーズに行うことができる程度に大きいのが望ましい。
【００２１】
また、長尺管状部材３は、一端にガイドワイヤ２を取り出す為の取出口１１を備える、また、他端には保護キャップ１２が取り付けられている。ここで、図３は特に取出口１１の周辺を拡大した拡大図である。図３に示すように取出口１１は、ガイドワイヤ２の基端部分が突出されており、更に突出されたガイドワイヤ２の基端の一部は保護チューブ１３内に保持されている。そして、ガイドワイヤ２を長尺管状部材３から取り出す際には、図４に示すように保護チューブ１３からガイドワイヤ２の基端を取り出し、図４の矢印方向に引き抜くことによってガイドワイヤ２を長尺管状部材３から取り出すことが可能となる。
【００２２】
保護キャップ１２は、長尺管状部材３の他端（取出口１１と反対側の端部）からガイドワイヤ２が突出しないように保護するキャップである。また、保護キャップ１２の代わりに、インサータ（図示せず）が取り付けられていても良い。
【００２３】
一方、保持板４は、略正方形形状を有する板状部材である。そして、一方の面（以下、保持面１５という）に対して上述した環状に結束された長尺管状部材３を、位置を固定した状態で保持する。保持板４を構成する材料は特に限定されないが、長尺管状部材３を保持する為の一定の強度を有し、且つ後述のようにガイドワイヤ２の取出しを行う際に折曲することから、ある程度の柔軟性も有する材料であることが望ましい。例えば上質紙、クラフト紙、片艶クラフト紙、表面コート紙、ポリプロピレン等を用いた合成紙や樹脂シート等が挙げられる。また、透過性を有する部材、或いは少なくとも保持面が白色であるのが望ましい。それによって、包装体内部の異物混入の確認を、長尺管状部材を滅菌袋から取り出すことなく目視にて行うことが可能となる。
【００２４】
また、図１に示す例では保持板４の形状は略正方形形状であるが、保持する長尺管状部材３の形状によって適宜その形状は変形可能である。但し、保持板４は、保持面１５に保持された長尺管状部材３を保護する目的から、長尺管状部材３の保持面１５への投影面積よりは少なくとも大きい面積とする。例えば、長尺管状部材３が楕円形状に結束されている場合には、保持板４を長方形形状としても良い。
【００２５】
また、図１に示すように保持板４の保持面１５には、長尺管状部材３を固定する為の複数の固定部１６、１７を有する。ここで、固定部１６、１７は、保持面１５を所定形状（例えば図１に示す例では爪形状（円弧形状））に切り出すことによって形成される。ここで、図５は、固定部１６の側面図（特に長尺管状部材３の長さ方向から見た側面図）を示す。
【００２６】
図５に示すように固定部１６は、切り出された保持面１５の一部と残りの保持面１５との間で長尺管状部材３を挟持する。尚、図５は特に固定部１６を示すが、他の固定部１７についても同様の構成を有している。そして、図１に示すように複数の固定部１６、１７によって長尺管状部材３をそれぞれ挟持することによって、保持面１５に対して環状に結束された長尺管状部材３を、位置を固定した状態で保持する。尚、図１に示す例では固定部１６、１７は、保持面１５を爪形状（円弧形状）に切り出すことによって形成されているが、長尺管状部材３を挟持できるのであれば他の形状に切り出しても良い。例えば、矩形形状としても良い。また、固定部１６、１７の数は、１のみ或いは３以上あっても良い。但し、設置する数に関わらず全ての固定部１６、１７は、後述のように脆弱部２０によって区分される保持面１５の複数の領域の内、一の領域のみに配置する。
【００２７】
また、図１に示すように保持板４の保持面１５には脆弱部２０が設けられている。ここで、脆弱部２０とは、保持板４の他の部分よりも強度が低く、荷重が加えられた場合において変形しやすい部分である。例えば保持板４を加工することによって折れ目やミシン目を形成し、その箇所を脆弱部２０とする。
【００２８】
例えば、一例として脆弱部２０を保持板４の他の部分と比べて厚みを薄くした形状とすることが可能である。その結果、例えば保持面１５側から保持板４に荷重を加えた場合には、図６に示すように脆弱部２０で保持板４が折曲する。尚、必ずしも保持板４を折り曲げ可能とする必要は無く、脆弱部２０で湾曲可能となるようにしても良い。
【００２９】
また、図６に示すように長尺管状部材３の取出口１１を、予め折曲される側に位置させた状態で保持板４に保持させることによって、保持板４が折曲された際に、取出口１１と保持面１５との間が離間することとなる。その結果、長尺管状部材３を保持板４から取り外すことなく、長尺管状部材３の内部にあるガイドワイヤ２を容易に取り出すことが可能となる。
【００３０】
尚、図１及び図６に示す例では、保持面１５を上下均等に分割する位置に対して直線状に脆弱部２０を設けているが、脆弱部２０の位置及び形状は適宜変更可能である。例えば図７に示すように傾斜して脆弱部２０を配置しても良い。更に、脆弱部２０は複数本あっても良く、必ずしも直線状である必要もない。但し、脆弱部２０によって区分される保持面１５の複数の領域（図１に示す例では上半分の領域と下半分の領域）の内、固定部１６、１７は一の領域（図１に示す例では下半分の領域）のみに備えるようにする。また、脆弱部２０によって区分される保持面１５の複数の領域の内、固定部１６、１７を備える領域以外の領域（図１に示す例では上半分の領域）に取出口１１が位置する状態で長尺管状部材３を保持板４に保持する。それによって、上述したように長尺管状部材３を保持板４から取り外すことなく、長尺管状部材３の内部にあるガイドワイヤ２を容易に取り出すことが可能となるという効果を奏する。
【００３１】
また、前述したように取出口１１はフラッシュ作業において、フラッシュコネクタを接続し、生理食塩水を注入する為の注入口に相当する。従って、固定部１６、１７を備える領域以外の領域に取出口１１が位置する状態で長尺管状部材３を保持板４に保持すれば、フラッシュ作業を行う際においても、保持板４を脆弱部２０で折曲することによって長尺管状部材３を保持板４から取り外すことなく作業を行うことが可能となる。注入口は、長尺管状部材３の他端であっても良い。
【００３２】
また、保持板４の一部を軟性部材とすることによって、その軟性部材とした部分を脆弱部２０とすることも可能である。
【００３３】
以上詳細に説明した通り、本実施形態に係る医療器具の包装体１では、環状に束ねられた状態で結束され、内部にガイドワイヤ２等の線状の医療器具を収納する中空部を有する長尺管状部材３と、長尺管状部材３を保持する保持面１５を有する保持板４と、を備える。また、保持板４は、保持板４を折曲又は湾曲させる為の脆弱部２０が保持面１５に設けられ、脆弱部２０によって区分される保持面１５の複数の領域の内、一の領域に長尺管状部材３を固定する固定部１６、１７を備え、長尺管状部材３は、固定部１６、１７を備える領域以外に取出口１１が位置する状態で保持板４に保持される。その結果、保持板４によって線状の医療器具を振動や衝撃から保護することが可能となる一方で、脆弱部２０で保持板４を折曲又は湾曲すれば、長尺管状部材３を保持板４から取り外すことなく、長尺管状部材３の内部にある線状の医療器具を取り出すことが可能となる。その結果、医療機関における作業量の低下を実現できる。また、医療器具の破損のリスクについても低減させることが可能となる。
【００３４】
尚、本発明は前記実施形態に限定されるものではなく、本発明の要旨を逸脱しない範囲内で種々の改良、変形が可能であることは勿論である。
例えば、本実施形態では、本発明を特に線状の医療器具の包装体としてガイドワイヤ２の包装体について適用した例を説明したが、ガイドワイヤ２の包装体のみに適用されるわけではなく、例えばカテーテル等のその他の線状の医療器具の包装体においても適用可能である。また、長尺管状部材３の太さや長さは適用する医療器具の種類やサイズに応じて適宜変更することが可能である。
【００３５】
また、本実施形態では、長尺管状部材３を環状に結束する手段として止め具５〜８を用いているが、止め具５〜８については用いずに固定部１６、１７で代用しても良い。その場合には、例えば図８に示すように固定部１６、１７の先端を内側に湾曲させて長尺管状部材３を挟持、または固定部１６、１７で長尺管状部材３を覆い、先端を保持面１５に固定することで、固定部１６、１７に対して止め具５〜８と同様に長尺管状部材３を環状状態で結束する機能についても持たせることが可能である。その結果、止め具５〜８を用いなくとも固定部１６、１７によって、長尺管状部材３を環状状態で結束しつつ、保持面１５に対して保持することが可能となる。また、固定部１６、１７に対して止め具５〜８（図２参照）と同様に長尺管状部材３を嵌め込んで固定する部材を取り付けても良い。
【符号の説明】
【００３６】
１              包装体
２              ガイドワイヤ
３              長尺管状部材
４              保持板
１１            取出口
１２            保護キャップ
１５            保持面
１６、１７      固定部
２０            脆弱部
【図１】
2019037660.tif 000003
【図２】
2019037660.tif 000004
【図３】
2019037660.tif 000005
【図４】
2019037660.tif 000006
【図５】
2019037660.tif 000007
【図６】
2019037660.tif 000008
【図７】
2019037660.tif 000009
【図８】
2019037660.tif 000010